(57)【要約】【課題】  投げ入れ前、投げ入れ時、および水中沈降時には釣り用テンビンから道糸が外れる心配がなく、かつ根掛かりが起こった場合に容易に根掛かりから外すことができる釣り用テンビンを提供する。【解決手段】  釣り用テンビンの腕の端部に環状具に代えて環状フックを取り付けることにより、投げ入れ前、投げ入れ時、および水中沈降時には環状フックからモトスまたは道糸が外れず、根掛かりが起こった場合には竿をあおることで容易に環状フックからモトスを外すことができ、それにより根掛かりから釣り用テンビンを外すことが可能で、釣り用テンビンの回収率を向上させた。【選択図】  図１
2005341818.tif 000002
【特許請求の範囲】
【請求項１】
軸と腕の間に略直角から略１５０度の角度を形成して道糸と仕掛けを接続する釣り用テンビンであって、前記軸の端部に道糸を通す環状具と、前記腕の端部にモトスを通す環状フックが設けられ、この環状フックは前記モトス又は前記道糸の外れを可能とする機構を備えることを特徴とする釣り用テンビン。
【請求項２】
前記環状フックは、前記腕の端部において、前記軸から離れる方向の下向きであって鉛直方向から水平方向で形成される略９０度内に設けられ、前記機構は、この環状フックの下端部に設けられることを特徴とする請求項１記載の釣り用テンビン。
【請求項３】
前記環状フックは、前記軸の端部と前記腕の端部を結ぶ直線と略平行の方向に設けられることを特徴とする請求項２に記載の釣り用テンビン。
【請求項４】
前記軸と腕によって形成される要（かなめ）部に錘あるいは錘を着脱可能な錘フックを備えることを特徴とする請求項１乃至請求項３のいずれか１項に記載の釣り用テンビン。
【発明の詳細な説明】
【技術分野】
【０００１】
本発明は、釣り具の道糸と仕掛けを接続する釣り用テンビンに関する。
【０００２】
釣をする際に、錘、ハリス、砂ズリ、撒き餌用のカゴ等の仕掛けを道糸に直接接続し、投げ釣りを行うと、錘から下に取り付けられた仕掛け（モトス、ハリス等）が道糸に絡まることがある。それを防ぐための釣具として、釣り用テンビンがよく知られている。これは投げ釣り時に道糸と仕掛けとの距離を一定以上に保つ作用を有するものである。
一般に釣り用テンビンは略Ｌ字型を成している。また、両端部に環状具若しくは曲環を備えた釣り用テンビンにおいては、道糸と仕掛けが環状具若しくは曲環を介して接続されるため、釣り用テンビンと仕掛けは略環構造となる。
【０００３】
投げ釣りをする際、上記環状部分に海藻や海底の突起部が入り込み、竿を引いても容易に取外せない、いわゆる根掛かりの状態になり、道糸が切断され釣り用テンビン及び仕掛けの全てが回収不能になる可能性が高いという課題があった。
【０００４】
このような課題に対処するため、いくつかの発明及び考案が開示されている。例えば、特許文献１には、「投釣用天ビン錘仕掛」という名称で、水圧荷重により砂ズリが釣り用テンビンから外れ、さらにこの天ビンを錘の内部に貫通させた円筒孔に仕掛用天ビンを収納する機構を有する釣り用テンビンに関する考案が開示されている。
【０００５】
以下、図７を参照しながら、特許文献１に開示された技術について説明する。
図７（ａ）は投釣用天ビン錘仕掛投げ入れ前の使用状態を示す概念図であり、（ｂ）は投釣用天ビン錘仕掛の投げ入れ後の使用状態を示す概念図である。
図７（ａ）に示すように投釣用天ビン錘仕掛２９は、本体の錘１９の中心に、連続する大中２口径の円筒孔大２０、円筒孔中２１からなる円筒孔を貫通させ、その中に胴づき仕掛用天ビン２２を内蔵するようにしたものであって、その天ビンの一方端部は、ヨリモドシ或いはビーズ玉２３等の利用をもって、円筒孔大２０からの抜け止めとさせ、曲環２８において道糸２４に連結させたものである。図７（ａ）においては道糸２４の途中に、サルカン２５を介しそれより分岐した砂ズリ２６は、略水平に起こされた天ビンの頂部２７に仮留めされる。そのため、錘１９は道糸２４に沿って上部へ遊動、吊り上げられた状態になっている。
投釣用天ビン錘仕掛２９を水中へ投入すると、沈降中に天ビン頂部２７が水圧により縮潰して砂ズリ２６の仮止めが外れ、胴づき仕掛用天ビン２２の外れに伴い錘１９が下方へ遊動する。この作用により図７（ｂ）に示す通り、道糸２４の張力によって胴づき仕掛用天ビン２２は錘１９の円筒孔２０内部へ引き込まれる構造になっている。
このような構造により、水中に投げ入れられた投釣用天ビン錘仕掛２９は水中沈降中に胴づき仕掛用天ビン２２が錘の円筒孔２０に収納されるため、仕掛けが海底に到達した際に、投釣用天ビン錘仕掛２９、道糸２４、砂ズリ２６が、環構造をなすことがなく、根掛かりの心配がない。この作用のため、根掛かりにより道糸が切断され釣り用テンビン及び仕掛を失う心配もない。
【０００６】
また、特許文献２には、「魚つり用おもり」という名称で、根掛かり外し機構を備えた魚釣り用の錘に関する考案が開示されている。
特許文献２に開示された魚つり用おもりは、弓状に湾曲した真鍮線の一端に湾曲方向に向けて環を備え、他端には釣り糸抜出装置を備えた釣り糸挿通杆を備える。この釣り糸抜出装置は弾力性を有する鋼鉄線が互いに接触点を持って合わさっており、接触点の下方は釣り糸の径よりも大きい間隔を有するような構造になっている。さらにこの真鍮線の中心部よりもやや釣り糸挿通杆寄りに鉛塊を備えたことを特徴とする魚釣り用の錘である。
【０００７】
魚つり用おもりは、釣り糸挿通杆及び環に釣り糸を挿通させ、この環の外側に伸びる釣り糸の先端に釣り針を結びつけ、釣り糸の先端と環の間に環の内径よりも大きい径を有する停止子を固定して使用する。
釣り針を手繰り上げる途中において、魚つり用おもりの鉛塊が海藻の根または岩の間に挟まると、釣り糸に固定された停止子が真鍮線の環を圧し、魚つり用おもりの環を有する側が鉛塊を基点にして直立する。
この作用のため、釣り糸挿通杆の鋼鉄線には、その間隙を挿通する釣り糸により、これを押し広げるような力が加わるため釣り糸は釣り糸挿通杆から外れる。すると、釣り糸の張力は直接「魚つり用おもり」の環に伝わるので鉛塊は上後方から引き上げられる形となり根掛かりから容易に外すことができる。
このような構造によると、根掛かりにより道糸が切断され錘や釣り針を失う心配がない。
【０００８】
【特許文献１】実全昭５６−１０４３７５号公報
【特許文献２】実公昭４０−０００８７５号公報
【発明の開示】
【発明が解決しようとする課題】
【０００９】
しかしながら、上述の従来の技術において、特に特許文献１に開示された考案においては投釣用天ビン錘仕掛を水中へ投入すると、沈降中に仕掛用天ビン２２の頂部２７が縮潰して仮留めが外れる必要がある。従って、沈降中に頂部２７の縮潰が円滑に進まない場合や縮潰しても頂部２７が外れない場合には依然として根掛かりの可能性があるという課題があった。また、沈降中ではなく、投げの最中に外れてしまうと道糸と仕掛けの絡みの原因となるという課題もあった。
【００１０】
また、特許文献２に開示された発明においては、釣り糸を手繰りあげることで魚釣り用錘を根掛かりから外すことができるものの、魚つり用おもりの投げ入れ時及び水中沈降時においては、遠心力や水の抵抗力により釣り糸挿通杆に力が加わり釣り糸が外れてしまう可能性があるという課題があった。
【００１１】
本発明はかかる従来の事情に対処してなされたものであり、簡単な構造でありながら、投げ入れ前、投げ入れ時、および水中沈降時には釣り用テンビンから道糸が外れる心配がなく、かつ根掛かりが起こった場合に容易に根掛かりから外すことができる釣り用テンビンを提供することを目的とする。
【課題を解決するための手段】
【００１２】
上記目的を達成するため、請求項１記載の発明である釣り用テンビンは、その軸と腕の間が略直角から略１５０度の角度を形成し、道糸と仕掛けを接続する釣り用テンビンであって、軸の端部には道糸を通す環状具が、腕の端部にはモトスまたは道糸を通す環状フックが設けられ、この環状フックはモトスまたは道糸の外れを可能とする機構を備えるものである。
上記構成の釣り用テンビンにおいては、根掛かりを起こした際にモトスまたは道糸を環状フックの機構から外すという作用を有する。
【００１３】
また、請求項２記載の発明である釣り用テンビンは、請求項１に記載の釣り用テンビンであって、環状フックが軸から離れる方向の下向きであって鉛直方向から水平方向で形成される略９０度内に設けられ、請求項１に記載の機構が、この環状フックの下端部に設けられているものである。
上記構成の釣り用テンビンにおいては、環状フックが鉛直方向から水平方向で形成される略９０度内に設けてあることで、道糸やモトスなどが、釣り用テンビンの投げ入れ前、投げ入れ時、及び水中における沈降時のいずれ状態においても釣り用テンビンの環状フックの端部に設けられる機構に移動することがなく、従って、道糸などが外れないという作用を有する。
【００１４】
請求項３記載の発明である釣り用テンビンは、請求項２記載の釣り用テンビンであって、環状フックは釣り用テンビンの軸の端部と前記腕の端部を結ぶ直線と略平行の方向で、軸から離れる方向に設けられているものである。
上記構成の釣り用テンビンにおいては、魚がエサに食い付き、モトスを引いた際に、モトスは引っ張られて、釣り用テンビンの軸の端部に設けられた環状具と腕の端部に設けられた環状フックは一直線状に並び、モトスも一直線となるため釣り用テンビンの荷重などが直接的にモトスにかかる可能性が小さくなり、魚に釣り用テンビンの荷重を感知され警戒感を与える可能性も少ないという作用を有する。また、モトスまたは道糸は、一直線に並んだ環状具と環状フックを貫通するものであり、環状フックの下端部に設けられた機構は、モトスまたは道糸を外すという作用を有する。
【００１５】
請求項４記載の発明である釣り用テンビンは、請求項１乃至請求項３のいずれか１項に記載の釣り用テンビンであって、釣り用テンビンの軸と腕によって形成される要部に錘あるいは錘を着脱可能な錘フックを備えるものである。
上記構成の釣り用テンビンにおいては、錘を備えることにより、ある程度遠くに仕掛けと餌を投げることができるという作用を有する。
さらに、着脱可能な錘フックを備えることにより、釣り用テンビンに取り付ける錘を交換可能にするという作用を有する。
【発明の効果】
【００１６】
本発明の請求項１に記載の釣り用テンビンにおいては、根掛かりを起こした場合に、その腕の端部に設けられた環状フックからモトスまたは道糸を外すことで、海底の海藻や岩などの突出部分に絡まった釣り用テンビンを取外すことができ、釣り用テンビンとそれに接続した仕掛けの回収率を大幅に向上させることができる。
【００１７】
また、本発明の請求項２に記載の釣り用テンビンにおいては、その腕の端部において環状フックが軸から離れる方向の下向きであって鉛直方向から水平方向で形成される略９０度内に設けられ、機構が、この環状フックの下端部に設けられていることで、釣り用テンビン及び仕掛けの投げ入れ前、投げ入れ時、及び水中沈降時において、環状フックの機構の位置に道糸やモトスが存在する確率を減らすことで道糸やモトスが外れるのを防止することができる。
従って、釣り用テンビンの投げ入れ前、投げ入れ時、及び水中における沈降時において仕掛けと道糸に適切な間隔を保持することができる。
【００１８】
本発明の請求項３に記載の釣り用テンビンにおいては、魚信があった際に、魚に警戒感を与えることなく釣り用テンビンの環状フックからモトスまたは道糸を外すことができるため、魚の掛かりを向上させることができる。
【００１９】
最後に、本発明の請求項４に記載の釣り用テンビンにおいては、錘を備えることにより、仕掛けと餌を投げる際にある程度遠方へ飛ばすことができると同時に、数が多くなりがちな釣り具の数を減らすことができる。
また、錘の交換が可能なことで、釣の目的に応じて重さの異なる錘を備えた釣り用テンビンを準備する手間とコストを省くことができる。
【発明を実施するための最良の形態】
【００２０】
以下に、本発明の最良の形態に係る釣り用テンビンの実施例を図１乃至図６に基づき説明する。
【実施例１】
【００２１】
本発明の実施例に係る釣り用テンビン１の構造、作用及び効果について図を用いて説明する。
図１（ａ）は本発明の実施例１に係る釣り用テンビンの外形図である。図１（ｂ）は図１（ａ）中符号Ａで示される方向からの釣り用テンビンの環状フックの矢視図である。図１（ｃ）は図１（ｂ）中符号Ｂで示される方向からの矢視図である。図１（ｄ）は本発明の実施例１に係る釣り用テンビンの環状フックから道糸が外れた場合の外形図である。
【００２２】
まず、本発明に係る釣り用テンビン１の構造について説明する。
図１（ａ）に示すように釣り用テンビン１はその軸３と腕４が成す角度θ１が略直角から略１５０度の角度を形成し、軸３の端部には道糸５を通す環状具６が、腕４の端部にはモトス１０の外れを可能にする環状フック２が設けられている。この環状フック２はモトス１０の外れを可能にする機構を備えるものである。この機構については後述する。
モトス１０の上端部は、ヨリモドシ７と抜け止め用ビーズ８を介して道糸５に接続される。ヨリモドシ７は回転自在に構成され、モトス１０や釣り針９が接続されるハリス１７の回転による「より」を解消するものであり、抜け止め用ビーズ８は、ヨリモドシ７が環状具６から抜けるのを防止するものである。
【００２３】
次に、図１（ｂ）と図１（ｃ）を参照しながら、前述の環状フック２のモトス１０の外れを可能にする機構について説明する。図１（ｂ）に示すように釣り用テンビン１に備えられた環状フック２は、釣り用テンビン１の腕４の端部１１を基点に略Ｊ字型の２つの部品が互いに向かい合うように配置され、さらに図１（ｃ）に示すように、この２つの部品はその端部が重なり合う重なり部１２が環状フック２の外側に向ってやや尖った形になるように構成されている。
このように環状フック２の重なり部１２を環状フック２の外側に向けてやや尖ったような形状にすることで、環状フック２の内側は楕円形を潰したような形状になる。このため、モトス１０が釣り用テンビン１の腕４の端部１１から重なり部１２へ移動する場合や、またその逆方向へ移動する場合においても、環状フック２の内側が滑らかな略楕円形をなす場合に比べ、モトス１０が環状フック２の内側を移動する際の軌道は略直線形に近づくためモトス１０が移動する場合の抵抗が軽減されその移動を円滑にすることができる。
また、環状フック２の重なり部１２が環状フック２の外側に向けてやや尖った形になっていることで、モトス１０を環状フック２から外そうとする場合は、この部分が滑らかな楕円の形状をしている場合に比べて効率よくモトス１０を重なり部１２すなわち環状フック２の切れ目に誘導することができる。
また、図１（ｂ）中の符号Ｄで示される環状フック２の短径は釣り用テンビン１が抜けてずれ上がることのないようにヨリモドシ７の胴回りの直径よりもやや小さく構成されている。
このような構成の環状フック２においては、図１（ｂ）中の符号Ｃで示される方向にこれを押し広げるような力が加わって環状フック２が開いたり、あるいは重なり部１２の隙間にモトス１０や道糸５が位置している際に外側へ少し力が加わると環状フック２からモトス１０または道糸５が外れる仕組みになっている。
【００２４】
次に釣り用テンビン１の作用及び効果について図１（ａ）、（ｄ）を用いて説明する。
図１（ａ）に示すように、釣り用テンビン１の使用時においては、道糸５とモトス１０はヨリモドシ７を介して接続され、さらにモトス１０は環状具６と環状フック２に挿通されており、釣り用テンビン１、道糸５及びモトス１０は環構造を形成している。ここでいう「環」とは、円形を意味するものではなく、囲んで閉じた状態を意味するものである。
釣り用テンビン１と、これに取り付けられた仕掛けの投げ入れ後、海底に着地し道糸５が手繰り上げられる過程において、この環構造の内部に海底から伸びる海藻や、海底の突起部がはいり込むと、これらが絡みあい根掛かりを生じる。
【００２５】
この状態のまま、竿をあおりさらに道糸５を手繰り上げるような力を加えると、図１（ｄ）に示すように環状具６に抜け止め用ビーズ８が係止し、釣り用テンビン１には道糸５を通じて軸３の端部方向、図１（ｄ）中の上方へ引き上げるような力が作用する。
この力の作用により環構造内部に入り込んだ海藻や海底の突起部はそれとは反対方向の腕４の端部１１方向、図１（ｄ）中の下方へ移動する。これによりモトス１０は環状フック２の重なり部１２付近に移動する。
さらに、道糸５にこれを手繰り上げるような力を加えると海藻や海底の突起部が、環状フック２近傍まで接近することで、モトス１０と釣り用テンビン１の腕４の成す角θ２を広げるような力が加わり、この結果、環状フック２はモトス１０により押し広げられ、モトス１０が環状フック２から外れる。あるいは、このようにθ２が広がる前の段階、すなわちモトス１０が環状フック２の重なり部１２付近に移動した際に、重なり部１２の隙間から外れる可能性もある。
また、モトス１０とハリス１７が接続されている部分のモトス１０側に、この接続部分とヨリモドシ７の間を自由に移動でき、環状フック２の短径Ｄより胴回りがやや大きめで、その内部を貫通する穴の径がモトス１０とハリス１７の接続部分の結び目よりも小さいようなビーズ玉を備えることによれば、モトス１０と釣り用テンビン１の腕４の成す角θ２を広げるような力が加わった際に、このビーズ玉がモトス１０とハリス１７の接続部分に係止しモトス１０が環状フック２を押し広げるのを助ける働きをする。
この結果、根掛かりを生じ、竿をあおり続けて釣り用テンビン１の腕４とモトス１０との成す角θ２を広げるような力が継続して加わるような場合において、モトス１０に接続したハリス１７と釣り針９が環状フック２から抜け出るのを防ぐと同時に、このときに釣り針９に取り付けた餌が環状フック２に触れて外れてしまうのを防ぐことができ、釣りを継続することができる。
上述のモトス１０が環状フック２から外れる作用により図１（ｄ）に示すように、釣り用テンビン１、道糸５及びモトス１０による環構造は解消され、道糸５とモトス１０は一直線状に並び、釣り用テンビン１に絡んでいた海藻や海底の突起部分は外れ、釣り用テンビン１とそれに接続した仕掛けを回収することができる。
【実施例２】
【００２６】
本発明に係る実施例２の釣り用テンビン１ａを図面を参照しながら説明する。
図２中の符号について図１に記載されたものと同一部分については同一符号を付し、その構成についての説明は省略する。
図２は本実施例に係る釣り用テンビン１ａの側面図である。
釣り用テンビン１ａは、腕４の端部１１を原点として示されるｘｙ座標平面において、釣り用テンビン１ａの本体部分が第２象限（図中II）に位置する際に、環状フック２の重なり部１２有する端部を前記ｘｙ座標平面における第４象限（図中IV）、すなわち図２に符号θ３で示す範囲内に設けることを特徴とする。
このような構成に係る釣り用テンビン１ａにおいては、釣り用テンビン１ａとそれに接続された仕掛けの投げ入れ前、投げ入れ時、水中沈降時において、モトス１０が釣り用テンビン１ａの環状フック２から外れることがなく、従って上記各状態において、モトス１０が道糸５に絡むのを防止するという釣り用テンビンの機能が十分に発揮される。
【００２７】
本実施例において、モトス１０が投げ入れ前、投げ入れ時、水中沈降時において、釣り用テンビン１ａの環状フック２から外れない理由について説明する。
本発明に係る釣り用テンビン１ａにモトス等の仕掛を接続し、これらを投げ入れる場合において、投げ入れ前、投げ入れ時、水中沈降時に、モトス１０が釣り用テンビン１ａの環状フック２の重なり部１２付近に位置しなければ、環状フック２の重なり部１２にこれを押し広げるような力が作用して外れたり、モトス１０が重なり部１２の隙間から抜けて外れることもない。
言い換えると、釣り用テンビン１ａとモトス等の仕掛けを一緒に投げ入れる場合において、投げ入れ前、投げ入れ時、水中沈降時に、モトス１０が釣り用テンビン１ａの腕４の端部１１に遊動可能な状態で位置していれば、環状フック２からモトス１０が外れる可能性は少ないと言える。
従って、釣り用テンビン１ａの環状フック２は、投げ入れ前、投げ入れ時、水中沈降時に、モトス１０または道糸５が釣り用テンビン１ａの腕４の端部１１に遊動可能な状態で位置するような角度に取り付けられる必要がある。
【００２８】
ここで、投げ入れ前、投げ入れ時、水中沈降時における釣り用テンビン１ａとそれに接続されたモトス１０の位置関係について具体的に図面を用いて説明する。
【００２９】
はじめに、本実施例に係る釣り用テンビン１ａとそれに接続されたモトス１０の投げ入れ前の状態について説明する。
一般に略Ｌ型の釣り用テンビンとそれに取り付けられた仕掛けの投げ入れ方法として「置投法」及び「ぶら下げ投法」と呼ばれる２種類の方法が知られている。
図３（ａ）は本実施例２に係る釣り用テンビンと仕掛けを置投法により投げ入れる場合の投げ入れ前の様子を示す概念図であり、（ｂ）は同じくぶら下げ投法により投げ入れる場合の投げ入れ前の様子を示す概念図である。（ｃ）は釣り用テンビンとそれに接続されたモトス１０の水中沈降時における状態を示した概念図である。図２に記載されたものと同一部分については同一符号を付し、その構成についての説明は省略する。
置投法は、主に釣り用テンビン１ａに接続されるモトスが比較的長い場合の代表的な投げ入れ方法であり、図３（ａ）に示すように、道糸５に接続された釣り用テンビン１ａを鉛直下向きに自然に吊り下げた際、最下部を地表面１５と接するように保持し、環状フック２から伸びるモトス１０は軸３から離れる方向に略直線上に延ばして静置させた状態で投げ入れる方法である。
また、ぶら下げ投法は、釣り用テンビン１ａに接続されるモトス１０が比較的短い場合の代表的な投げ入れ方法であり、図３（ｂ）に示すように道糸に接続された釣り用テンビン１ａを鉛直下向きに自然にぶら下げた状態から投げ入れる方法である。この時、道糸５と環状フック２の下に伸びるモトス１０は錘１６の作用により略平行に保たれる。
【００３０】
次に、投げ入れ時の釣り用テンビン１ａとそれに接続されたモトス１０の位置関係について説明する。
図３（ａ）及び（ｂ）中の符号Ｅで示される方向に釣り人１４が竿１３を大きく振ると、釣り用テンビン１ａとそれに接続されたモトス１０は、図３（ａ）及び（ｂ）中の符号Ｆで示される方向に投射される。この状態において、釣り用テンビン１ａには遠心力が作用し、道糸５と環状フック２の下に伸びるモトス１０は略平行に保たれ、図３（ｂ）に示すぶら下げ投法における投げ入れ前の状態とほぼ同じ状態になる。
【００３１】
最後に、水中沈降時における本実施例に係る釣り用テンビン１ａとそれに接続されたモトス１０の位置関係について図３（ｃ）を用いて説明する。
水中沈降時においては、図３（ｃ）に示すように、錘１６より十分に軽い釣り針９とモトス１０は水の抵抗により、釣り用テンビン１ａの環状フック２支点に鉛直上向きに（水面方向に）伸びるような形になり、道糸５と環状フック２から鉛直上向きに伸びるモトス１０は略平行に保たれる。
【００３２】
以上、上述した内容をまとめると、投げ入れ前、投げ入れ時、および水中沈降時において、本実施例に係る釣り用テンビン１ａとそれに接続されるモトス１０の位置関係は、図３（ａ）、（ｂ）、（ｃ）に示すいずれか１つの状態であり、これら３通りの状態においてモトス１０または道糸５が釣り用テンビン１ａの腕４の端部１１に遊動可能な状態に位置するような角度で環状フック２を設けることによると、モトス１０または道糸５の外れを防ぐことが可能である。
【００３３】
図３（ａ）、（ｂ）、（ｃ）に示す状態において、このような条件を満たす環状フック２の取付け角度を、さらに詳細に図を用いて説明する。
ここで、図４（ａ）乃至（ｃ）において、釣り用テンビン１ａの各部分の端部にアルファベットを付して、環状具６の端部を符号Ｉ、軸３と腕４によって形成される要（かなめ）部を符号Ｇ、錘の端部を符号Ｈ、腕４の端部１１を符号Ｏ、環状フック２の重なり部１２を有する端部を符号Ｐ、釣り針９とモトス１０の接続部分を符号Ｑのように示し、図の説明を簡便にした。また、釣り用テンビン１ａ上の点Ｏに設けられた環状フック２は側面長さｒを有し、その重なり部１２を有する端部Ｐは、点Ｏを中心とする半径ｒの円Ｔの円周上のいずれかの点に設けられているものと仮定する。
なお、ヨリモドシ、抜け止め用ビーズは本図中ではその記載を省略した。
【００３４】
〔１〕図４（ａ）は、釣り用テンビン１ａとそれに接続されたモトス１０の置投法における投げ入れ前の状態を側面から見た概念図である。
図４において図２に記載されたものと同一部分については同一符号を付し、その構成についての説明は省略する。
今、図４（ａ）において釣り用テンビン１ａは点Ｐを地表面１５に接して静置され、道糸５は垂直方向と平行に保たれており、道糸５とモトス１０は点Ｉでヨリモドシ７を介して接続されている。また、モトス１０に接続した釣り針９は軸３から離れる方向にモトス１０が弛まないように静置されている。
【００３５】
図４（ａ）において釣り用テンビン１ａの環状フック２の端部Ｐは円Ｔの円周上のいずれかの点にあり、図にはモトス１０が点Ｏを経由してＱに伸びる場合と、点Ｐを経由してＱに伸びる場合の両方を示した。
一般に、釣り糸を通じて引張力が伝達される場合、力は常に最短距離で伝達されようとする。
つまり、図４（ａ）中において、直線ＩＱに点Ｏおよび点Ｐから引いた垂線と直線ＩＱとの交点をそれぞれ、Ｒ１、Ｓ１とすると、下記の式（１）を満たすような円Ｔの円周上に点Ｐがあり、モトス１０が点Ｏと点Ｐの間を遊動可能である場合、モトス１０は点Ｐを経由することなく点Ｑへと伸びる。すなわち、モトス１０は常に点Ｏを経由して点Ｑへと伸びる。
【００３６】
【数１】
2005341818.tif 000003
【００３７】
この式（１）を満足する点Ｐの存在領域は、図２に示した象限で言えば、概ね第３象限と第４象限となる。
【００３８】
〔２〕図４（ｂ）はぶら下げ投法における投げ入れ前の釣り用テンビン１ａとそれに接続されたモトス１０の位置関係、および投げ入れ時の釣り用テンビン１ａとそれに接続されたモトス１０の位置関係を示す概念図である。
図４（ａ）に記載されたものと同一部分については同一符号を付し、その構成についての説明は省略する。
図４（ｂ）において釣り用テンビン１ａの環状フック２の端部Ｐは円Ｔの円周上のいずれかの点にあり、図にはモトス１０が点Ｏを経由してＱ１に伸びる場合と、点Ｐを経由してＱ２に伸びる場合の両方を示した。今、道糸５と環状フック２に位置するモトス１０の一部ＯＱまたはＰＱは直線ＩＧと略平行な状態に保たれている。
上述したように、釣り糸を通じて引張力が伝達される場合力は常に最短距離で伝達されようとする。
このため、図４（ｂ）中において、直線ＩＧの延長線上に、点Ｏ、Ｐから垂線を引いた場合の直線ＩＧとの交点をそれぞれＲ２、Ｓ２とすると、下記の式（２）を満たすような円Ｔの円周上に点Ｐがある場合、
【００３９】
【数２】
2005341818.tif 000004
【００４０】
モトス１０は点Ｐを経由することなく点Ｑ１へと伸びる。すなわち、モトス１０は点Ｏを経由して点Ｑ１へと伸びる。
この式（２）を満足する点Ｐの存在領域は、図２に示した象限で言えば、概ね第１象限と第４象限となる。
【００４１】
〔３〕図４（ｃ）は釣り用テンビン１ａとそれに接続されたモトス１０の水中沈降時における状態の概念図である。
図４（ａ）に記載されたものと同一部分については同一符号を付し、その構成についての説明は省略する。
図４（ｃ）において釣り用テンビン１ａの環状フック２の端部Ｐは円Ｔの円周上のいずれかの点にあり、図４（ｃ）にはモトス１０が点Ｏを経由してＱ３に伸びる場合と、点Ｐを経由してＱ４に伸びる場合の両方を示した。今、道糸５と環状フック２に位置するモトス１０の一部ＯＱ３またはＰＱ４は直線ＩＧと略平行な状態に保たれている。
上述の通り、釣り糸を通じて引張力が伝達される場合、力は常に最短距離で伝達されようとする。
このため、図４（ｃ）中において、直線ＩＧの延長線上に、点Ｏ、Ｐから垂線を引いた場合の直線ＩＧとの交点をそれぞれＲ３、Ｓ３とすると、下記の式（３）を満たすような円Ｔの円周上に点Ｐがある場合、
【００４２】
【数３】
2005341818.tif 000005
【００４３】
モトス１０は点Ｐを経由することなく点Ｑ３へと伸びる。すなわち、モトス１０は点Ｏを経由して点Ｑ３へと伸びる。
この式（３）を満足する点Ｐの存在領域は、図２に示した象限で言えば、式（２）の場合と同様に概ね第１象限と第４象限となる。
【００４４】
よって、上記〔１〕乃至〔３〕で述べた条件を満たすような円Ｔの円周上の点Ｐが取りうる範囲は、本発明に係る釣り用テンビン１ａの軸３の長さ、腕４の長さ、環状フック２の長さｒ、ハリ等の長さによってそれぞれ異なるが、総じて図２中の符号θ３で示した略範囲内、すなわち第４象限となる。言い換えると、環状フック２は、腕４の端部において、軸３から離れる方向の下向きであって鉛直方向から水平方向で形成される略９０度内に設けられていることになる。この範囲内に釣り用テンビン１ａの環状フック２の重なり部１２を有する端部を備えることによれば、釣り用テンビン１ａとそれに接続したモトス１０の投げ入れ前、投げ入れ時、および水中沈降時において環状フック２からモトス１０または道糸５の外れを防ぐことができる。
また、その作用により釣り用テンビン１ａの機能を十分に発揮することができる。
【実施例３】
【００４５】
本発明に係る実施例３の釣り用テンビン１ｂを図面を参照しながら説明する。
図５（ａ）は本発明の実施例３に係る釣り用テンビンの斜視図である。図５（ｂ）は図５（ａ）中符号Ｗで示した方向への矢視図である。図５（ｃ）は釣り用テンビン１ｂに魚信があった場合の様子を示す概念図である。
図５において図２に記載されたものと同一部分については同一符号を付し、その構成についての説明は省略する。
【００４６】
図５（ａ）に示すように釣り用テンビン１ｂは、釣り用テンビン１ｂの環状具６の端部と腕４の端部１１を結ぶ図中の破線で示す直線と略平行な直線上の軸から離れる方向に環状フック２が設けられている。
つまりは、釣り用テンビン１ｂの環状具６の端部と腕４の端部１１及び環状フック２の重なり部１２を有する端部は略一直線上に位置している。
一般に魚には、餌を口にした際に何らかの抵抗を感じると、警戒して餌を吐き出すという習性があることが知られている。
上記構成の実施例３に係る釣り用テンビン１ｂにおいて、魚信があり、道糸５とそれに接続したモトス１０が図５（ｂ）中の破線が示すように一直線になった場合、環状フック２はこれと平行な方向に設けられているため、モトス１０は環状フック２の重なり部１２の位置にくる。
【００４７】
さらに、魚が口にした餌を引くと、道糸５とモトス１０を繋ぐヨリモドシ７は環状フック２の重なり部１２の隙間へと遊動し、ヨリモドシ７が環状フック２を通過しようとする際、環状フック２には図５（ｂ）中の符号Ｘで示す方向にこれを押し広げるような力が作用し、この作用により環状フック２は押し広げられモトス１０が容易に外れる。あるいは、符号Ｘの方向へ力が働かなくとも抵抗なく隙間から外れる可能性もある。
環状具６の端部と腕４の端部１１を結ぶ直線と略平行な直線上の軸から離れる方向に環状フック２が設けられている場合には、特に、モトス１０が環状フック２からスムーズに外れるため、その後は、釣り用テンビン１ｂから曲げ力などの力がかかることはない。従って、魚に何らかの異変を察知されることがなく、警戒心を持たせないので魚が一旦口にした餌を吐き出す可能性は低くなり、従って釣果を向上させることができる。
なお、図１を参照しながら説明した環状フック２の符号Ｃの方向にかかる力は、モトス１０と釣り用テンビン１によって形成される環構造の内部に藻や海底の岩などの突起物が入り込むことで根掛かりを生じた場合に、道糸５を引っ張ることでモトス１０が環状フック２内で重なり部１２以外の位置に存在して、発生する力である。本実施例で説明したのは、魚が餌に食いついた場合においてモトス１０が一直線となって、さらに魚がモトス１０を引っ張る場合に働く力であり、図１を参照しながら説明した力とは対象とする事象が異なる。
【実施例４】
【００４８】
次に、錘または錘を着脱可能なフックを備えた実施例４の釣り用テンビンについて図面を参照しながら説明する。
図６（ａ）は本発明の実施例４に係る釣り用テンビン１ｃに一体型の錘を取り付けた場合の外形図であり、（ｂ）は本発明の実施例４に係る釣り用テンビン１ｃに錘の取外しが可能なフックを取り付けた場合の外形図である。
図６（ａ）、（ｂ）において図１に記載されたものと同一部分については同一符号を付し、その構成についての説明は省略する。
図６（ａ）に示すように錘と一体型の釣り用テンビン１ｃは、釣り用テンビン１ｃの軸３と腕４からなる要部Ｇに取外すことができない錘１６ａを備えたことを特徴とする。釣り用テンビンと錘を一体化することで、逐一錘を装着する必要がなく、数が多くなりがちな釣り道具の数を少なくすることができる。また、錘を装着することで釣り用テンビン１ｃと仕掛けをより遠方へ投げることも可能である。
【００４９】
また、図６（ｂ）に示すように釣り用テンビン１ｄの軸３と腕４からなる要部Ｇに錘１６ｂの着脱が可能なフック１８を備えた釣り用テンビン１ｄは、釣の目的応じて錘の重さの異なる釣り用テンビンを準備する手間が省け経済的である。
また、釣り用テンビン１ｄの錘の着脱が可能なフック１８は図６（ｂ）に制限されるものではなく環状リングでも良いし、バネの反発力を利用してフックの開口部の開閉を行う形のものでも良い。
なお、釣り用テンビン１ｃおよび１ｄに取り付けられる錘の形状や重さは特に制限されるものではなく、例えば錘の形状は略球形であったり、縦断面が略楕円形のようなものでもよいし、また、水の抵抗を軽減するプラスチック製などのフィンを備えた錘でもよい。
【００５０】
なお、本発明の実施の形態に係る釣り用テンビンを用いて実際に磯で投げ釣りを行った。従来の釣り用テンビンを用いた場合には、１０回の投げ入れに対して１回程度回収ができないケースが生じるが、本実施の形態に係る釣り用テンビンでは、７０回の投げ入れを行いその全てにおいて釣り用テンビン及び仕掛を回収することができた。
【産業上の利用可能性】
【００５１】
本発明に係る釣り用テンビンは、根掛かり外し機能を有することでこれまで使い捨て同然だった釣り用テンビンの分野において繰り返し利用が可能で環境に配慮した釣具を提供するものである。釣具の分野で初心者、上級者を問わず幅広い釣り愛好家において利用の可能性が高い。
【図面の簡単な説明】
【００５２】
【図１】（ａ）は本発明の実施例１に係る釣り用テンビンの外形図である。（ｂ）図１（ａ）中符号Ａで示される方向からの釣り用テンビンの環状フックの矢視図である。（ｄ）図１（ｃ）中符号Ｂで示される方向への矢視図である。（ｄ）本発明の実施例に係る釣り用テンビンの環状フックから道糸が外れた場合の外形図である。
【図２】実施例１に係る釣り用テンビンを側面からみた概念図である。
【図３】（ａ）は本実施例２をぶら下げ投法により投げ入れる場合の投げ入れ前の様子を示す概念図である。（ｂ）は本実施例２を置投法により投げ入れる場合の投げ入れ前の様子を示す概念図である。（ｃ）は釣り用テンビンとそれに接続されたモトス１０の水中沈降時における状態を示した概念図である。
【図４】（ａ）は釣り用テンビンとそれに接続されたモトスの置投投法における投げ入れ前の状態を側面から見た概念図である。（ｂ）はぶら下げ投法における投げ入れ前の釣り用テンビンとそれに接続されたモトスの位置関係、および投げ入れ時のり用テンビンとそれに接続されたモトスの位置関係を示す概念図である。（ｃ）は釣り用テンビンとそれに接続されたモトスの水中沈降時における状態の概念図である。
【図５】（ａ）は本発明の実施例３に係る釣り用テンビンの斜視図である。（ｂ）は図５（ａ）中符号Ｗで示した方向への矢視図である。（ｃ）は釣り用テンビン１ｂに魚信があった場合の様子を示す概念図である。
【図６】（ａ）は本発明の実施例４に係る釣り用テンビン１ｃに一体型の錘を取り付けた場合の外形図である。（ｂ）は本発明の実施例４に係る釣り用テンビン１ｃに錘の取外しが可能なフックを取り付けた場合の外形図である。
【図７】（ａ）は投釣用天ビン錘仕掛投げ入れ前の使用状態を示す概念図である。（ｂ）は投釣用天ビン錘仕掛の投げ入れ後の使用状態を示す概念図である。
【符号の説明】
【００５３】
１〜１ｄ…釣り用テンビン  ２…環状フック  ３…軸  ４…腕  ５…道糸  ６…環状具  ７…ヨリモドシ  ８…抜け止め用ビーズ  ９…釣り針  １０…モトス  １１…端部  １２…重なり部  １３…竿  １４…釣り人  １５…地表面  １６，１６ａ，１６ｂ…錘  １７…ハリス１７  １８…フック  １９…錘  ２０…円筒孔大  ２１…円筒孔中  ２２…仕掛用天ビン  ２３…ビーズ玉  ２４…道糸  ２５…サルカン  ２６…砂ズリ  ２７…頂部  ２８…環曲  ２９…投釣用天ビン錘仕掛
【図１】
2005341818.tif 000006
【図２】
2005341818.tif 000007
【図３】
2005341818.tif 000008
【図４】
2005341818.tif 000009
【図５】
2005341818.tif 000010
【図６】
2005341818.tif 000011
【図７】
2005341818.tif 000012